(57)【要約】【課題】バッテリターミナル用カバーの脱落を防止でき、ヒンジ部の劣化や破損による取付けガタの発生を防止できるバッテリターミナル用カバーの取付構造を提供する。【解決手段】バッテリターミナル用カバー１１の取付構造において、バッテリポストに直付けされるバッテリ直付けヒューズユニット１３と、バッテリ直付けヒューズユニット１３の側部に突設された竿体３３の先端に係合膨出部３５を有する係合竿３１と、バッテリ直付けヒューズユニット１３の上部を覆うバッテリターミナル用カバー１１と、バッテリターミナル用カバー１１に上下方向に延在して設けられ、竿体３３が挿通されてバッテリターミナル用カバー１１の開閉動作を許容するとともに竿体３３の抜脱が係合膨出部３５によって規制される係合スリット４９と、を備える。【選択図】図１
2014203599.tif 000002
【特許請求の範囲】
【請求項１】
バッテリポストに直付けされるヒューズユニットと、
前記ヒューズユニットの側部に突設された竿体の先端に係合膨出部を有する係合竿と、
前記ヒューズユニットの上部を覆うバッテリターミナル用カバーと、
前記バッテリターミナル用カバーに上下方向に延在して設けられ、前記竿体が挿通されて前記バッテリターミナル用カバーの開閉動作を許容するとともに前記竿体の抜脱が前記係合膨出部によって規制される係合スリットと、
を備えることを特徴とするバッテリターミナル用カバーの取付構造。
【請求項２】
前記係合スリットが、前記バッテリターミナル用カバーの上壁から垂設される一側壁に形成され、
前記竿体が、前記係合スリットのスリット幅方向に離間する一対の平行な可撓竿からなり、前記可撓竿のそれぞれが前記係合スリットの対向内面に押し当てられることを特徴とする請求項１に記載のバッテリターミナル用カバーの取付構造。
【請求項３】
前記バッテリターミナル用カバーの上壁から垂設された一側壁の先端には、上下方向に延びるハンガー部が設けられ、
前記係合スリットが少なくとも前記ハンガー部のハンガー部延在方向に沿って形成されていることを特徴とする請求項１に記載のバッテリターミナル用カバーの取付構造。
【発明の詳細な説明】
【技術分野】
【０００１】
本発明は、バッテリターミナル用カバーの取付構造に関する。
【背景技術】
【０００２】
バッテリ端子を介してバッテリポストに直付けされるヒューズユニット（所謂、バッテリ直付けヒューズユニット）を有するバッテリターミナルが知られている。このバッテリターミナルには、外部との絶縁性を確保するため、バッテリターミナル用カバーが設けられる。
例えば特許文献１等に開示されるバッテリターミナル用カバー５２１は、図１０に示すように、バッテリポストに接続されるバッテリ直付けヒューズユニット（不図示）の上部を覆う第一のカバー（固定用カバー）５２７と、この第一のカバー５２７にヒンジ部５２３を介して繋がる第二のカバー（開閉用カバー）５３１とで構成される。バッテリターミナル用カバー５２１のヒンジ部５２３には連接部５２５が続き、ヒンジ部５２３及び連接部５２５が第一のカバー５２７の上壁５２９及び第二のカバー５３１の上壁５２９より低い位置に配置される。連接部５２５は、第二のカバー５３１に一体に連接される。更に、ヒンジ部５２３と第一のカバー５２７との間には第一の傾斜壁５３３が設けられ、連接部５２５と第二のカバー５３１との間には第二の傾斜壁５３５が設けられる。そして、第二のカバー５３１を開放した際に第一の傾斜壁５３３と第二の傾斜壁５３５とを当接させることで、第二のカバー５３１の開扉角度を規制する。ヒンジ部５２３は、連接部５２５の肉厚より薄肉に形成されている。
【０００３】
また、特許文献２等に開示されるバッテリターミナル用カバー５０１の取付構造では、図１１に示すように、バッテリ直付けヒューズユニットの一対の縦壁（不図示）に、断面円形の支持軸５０３が水平方向に突出形成されている。バッテリターミナル用カバー５０１の側壁５０５には、第１案内溝５０７と、連接点５０９を介して第１案内溝５０７から連続形成される第２案内溝５１１とからなる案内溝５１３が設けられ、この案内溝５１３に支持軸５０３が摺動自在に嵌合する。そして、バッテリターミナル用カバー５０１は、支持軸５０３で案内されながら、第１案内溝５０７の形状に沿わせて上方に引き上げられ、支持軸５０３を第１案内溝５０７と第２案内溝５１１との連接点５０９に位置させる。これにより、バッテリターミナル用カバー５０１は、当接部５１５がハウジング５１７の上面５１９から離間し、回動が許容される状態となる。
【先行技術文献】
【特許文献】
【０００４】
【特許文献１】特開２００２−２８９１７１号公報
【特許文献２】特開２０１０−８３１６４号公報
【発明の概要】
【発明が解決しようとする課題】
【０００５】
しかしながら、図１０に示すバッテリターミナル用カバー５２１の取付構造では、第一のカバー５２７に対してヒンジ部５２３を介して連結した第二のカバー５３１が、ヒンジ部５２３を回転中心とした揺動のみの移動で開閉されるため、開閉軌跡のスペースを確保する必要があり、設計自由度を低下させる。また、薄肉のヒンジ部５２３は、低温環境下での開閉時に応力集中による劣化や破損を生じる虞があるという問題がある。
また、図１１に示すバッテリターミナル用カバー５０１の取付構造では、ヒューズ交換等のメンテナンス作業の際に、バッテリターミナル用カバー５０１を取り外すと、案内溝５１３と支持軸５０３との係合が外れてバッテリターミナル用カバー５０１がヒューズユニットと分離してしまい、エンジンルーム内への落下や紛失のリスクを伴うという問題がある。
【０００６】
本発明は上記状況に鑑みてなされたもので、その目的は、バッテリターミナル用カバーの脱落を防止できるとともに、ヒンジ部の劣化や破損による取付けガタの発生を防止できるバッテリターミナル用カバーの取付構造を提供することにある。
【課題を解決するための手段】
【０００７】
本発明に係る上記目的は、下記構成により達成される。
（１）  バッテリポストに直付けされるヒューズユニットと、前記ヒューズユニットの側部に突設された竿体の先端に係合膨出部を有する係合竿と、前記ヒューズユニットの上部を覆うバッテリターミナル用カバーと、前記バッテリターミナル用カバーに上下方向に延在して設けられ、前記竿体が挿通されて前記バッテリターミナル用カバーの開閉動作を許容するとともに前記竿体の抜脱が前記係合膨出部によって規制される係合スリットと、を備えることを特徴とするバッテリターミナル用カバーの取付構造。
【０００８】
上記（１）の構成のバッテリターミナル用カバーの取付構造によれば、バッテリポストに直付けされたヒューズユニットの側部に突設された係合竿が、バッテリターミナル用カバーに形成された係合スリットに挿通されると、係合スリットに竿体を挿通した係合竿は、係合膨出部によって係合スリットからの抜脱が規制された状態となる。従って、ヒューズユニットからのバッテリターミナル用カバーの脱落が防止される。
また、係合スリットがヒューズユニットの係合竿に挿通されたバッテリターミナル用カバーは、係合スリットを竿体に対して係合させながら、スライド（特に、上下移動）、竿体の軸線を回転中心とした回転および竿体に直交する仮想軸を回転中心とした揺動が自在となる。従って、従来の揺動のみが可能であった薄肉ヒンジ部に比べ、揺動に加えてスライドや回転も可能となって、開閉がスムーズとなる。これにより、バッテリターミナル用カバーは、ヒューズユニットと常に連結された状態で、ヒューズユニットに対して開閉自在となり、従来のように薄肉ヒンジ部を用いてヒューズユニットに固定された固定用カバーに開閉用カバーを連設する必要がなくなる。
【０００９】
（２）  上記（１）の構成のバッテリターミナル用カバーの取付構造であって、前記係合スリットが、前記バッテリターミナル用カバーの上壁から垂設される一側壁に形成され、前記竿体が、前記係合スリットのスリット幅方向に離間する一対の平行な可撓竿からなり、前記可撓竿のそれぞれが前記係合スリットの対向内面に押し当てられることを特徴とするバッテリターミナル用カバーの取付構造。
【００１０】
上記（２）の構成のバッテリターミナル用カバーの取付構造によれば、係合スリットがバッテリターミナル用カバーの一側壁に直接形成され、竿体を構成する一対の可撓竿が係合スリットの対向内面に押し当てられた状態で挿通される。これにより、バッテリターミナル用カバーは、竿体に対してスリット幅方向に移動規制され、係合竿に対してガタつき無く連結される。また、一対の可撓竿が係合スリットの対向内面を押圧するので、バッテリターミナル用カバーは、所定の力で竿体に対して回転規制され、スライド及び揺動のみが可能となる。そこで、バッテリターミナル用カバーは回転方向の振れが抑止され、開閉作業性が良好となる。なお、この場合においても、所定以上の回転力が加えられれば、竿体の一対の可撓竿が相互接近する方向に変形して、バッテリターミナル用カバーは回転可能となる。
【００１１】
（３）  上記（１）の構成のバッテリターミナル用カバーの取付構造であって、前記バッテリターミナル用カバーの上壁から垂設された一側壁の先端には、上下方向に延びるハンガー部が設けられ、前記係合スリットが少なくとも前記ハンガー部のハンガー部延在方向に沿って形成されていることを特徴とするバッテリターミナル用カバーの取付構造。
【００１２】
上記（３）の構成のバッテリターミナル用カバーの取付構造によれば、バッテリターミナル用カバーの一側壁にハンガー部が設けられ、係合スリットが少なくともこのハンガー部のハンガー部延在方向に沿って形成される。即ち、係合スリットが、バッテリターミナル用カバーの一側壁の範囲を超えてハンガー部のハンガー部延在方向に延長可能となる。これにより、係合竿に対するバッテリターミナル用カバーの相対移動距離を長く確保することが可能となり、ヒューズユニットからバッテリターミナル用カバーを邪魔とならない遠くまで移動退避させることが可能となる。その結果、ヒューズエレメントやバッテリ端子の点検・着脱用の広い作業スペースが確保可能となる。
【発明の効果】
【００１３】
本発明に係るバッテリターミナル用カバーの取付構造によれば、バッテリターミナル用カバーの脱落を防止できるとともに、ヒンジ部の劣化や破損による取付けガタの発生を防止できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の第１実施形態に係るバッテリターミナル用カバーの取付構造を有するバッテリターミナル用カバーが装着されたヒューズユニットの斜視図である。
【図２】（ａ）は図１に示したバッテリターミナル用カバー及びヒューズユニットを図１の右方からみた背面図、（ｂ）は（ａ）のＡ−Ａ断面図である。
【図３】図１に示したバッテリターミナル用カバーが開かれたヒューズユニットの斜視図である。
【図４】（ａ）は図３に示したバッテリターミナル用カバー及びヒューズユニットの要部拡大図、（ｂ）は（ａ）に示したヒューズユニットの要部拡大図である。
【図５】（ａ）はバッテリターミナル用カバーとヒューズユニットとの保持部における横断面図、（ｂ）は（ａ）に示した保持部を下側から見た底面図である。
【図６】本発明の第２実施形態に係るバッテリターミナル用カバーの取付構造を有するバッテリターミナル用カバー及びヒューズユニットの分解斜視図である。
【図７】図６に示したバッテリターミナル用カバーを斜め下方から見た斜視図である。
【図８】（ａ）は図６に示したバッテリターミナル用カバーが装着された状態のバッテリの斜視図、（ｂ）は（ａ）に示したバッテリターミナル用カバーが開かれた状態のバッテリの斜視図である。
【図９】（ａ）は図６に示したバッテリターミナル用カバーが装着されたヒューズユニットの側面図、（ｂ）は（ａ）に示したバッテリターミナル用カバーが上方へスライドされたヒューズユニットの側面図、（ｃ）は（ｂ）に示したバッテリターミナル用カバーが回動途中のヒューズユニットの側面図、（ｄ）は（ｃ）に示したバッテリターミナル用カバーが開かれたヒューズユニットの側面図である。
【図１０】（ａ）は従来のバッテリターミナル用カバーの取付構造を示す平面図、（ｂ）は（ａ）のバッテリターミナル用カバーが開かれた状態の側面図である。
【図１１】（ａ）は従来の他のバッテリターミナル用カバーの取付構造を示す側面図、（ｂ）は（ａ）の要部拡大図である。
【発明を実施するための形態】
【００１６】
以下、本発明に係る実施形態を図面を参照して説明する。
図１〜図５に示すように、本発明の第１実施形態に係るバッテリターミナル用カバー１１の取付構造は、バッテリ（不図示）の上面に突設されたバッテリポストに接続されるバッテリ端子（不図示）を介し、バッテリに直付けされるバッテリ直付けヒューズユニット（ヒューズユニット）１３と、このバッテリ直付けヒューズユニット１３の上部を開閉自在となって覆うバッテリターミナル用カバー１１と、を備える。バッテリターミナル用カバー１１は、開閉先端側がバッテリポストを覆っている。本明細書中、バッテリターミナル用カバー１１は、バッテリポストを覆う開閉先端側を前として説明する。
【００１７】
バッテリ端子は、バッテリの上面に突設されたバッテリポストに締結されるポスト連結部と、このポスト連結部の一側に延設されたユニット接続用板部とを備えており、ユニット接続用板部には、バッテリ直付けヒューズユニット１３のバッテリ接続板部１５（図５参照）などをねじ止めするためのスタッドボルトが植設されている。
【００１８】
バッテリ直付けヒューズユニット１３は、バッテリ端子と電装回路とを導通接続するためのもので、ヒューズ１７を有する導電金属製の板状のヒューズエレメント１９と、ヒューズエレメント１９がインサート成形された絶縁性のヒューズハウジング２１とで構成されている。
【００１９】
ヒューズエレメント１９は、略Ｌ字型に折り曲げ形成された一枚の導電性金属板であり、水平に配置されてバッテリ端子に導通接続されるバッテリ接続板部１５と、垂直に配置されて電装回路に導通接続される回路接続板部と、を有する。バッテリ接続板部１５の一端には、バッテリ端子のスタッドボルトが挿通される貫通孔２３が形成されている。
【００２０】
図２に示すように、ヒューズハウジング２１は、ヒューズエレメント１９がインサート成型され、中間部から略９０°屈曲する略Ｌ字型に形成されており、水平に配置される第１ハウジング２５と、垂直に配置される第２ハウジング２７とを備える。第１ハウジング２５は、バッテリ接続板部１５の貫通孔２３にバッテリ端子のスタッドボルトが挿通され、ナットが螺合されてバッテリ端子に固定される。これにより、第１ハウジング２５はバッテリ端子を介してバッテリポストに接続されて固定される。第２ハウジング２７は、第１ハウジング２５に対して略９０゜に屈曲された状態で、バッテリの側壁面に沿って垂設される。これにより、第２ハウジング２７に内装されたヒューズ１７を介して回路接続板部１６に電装回路のワイヤハーネスが接続される。
【００２１】
図４に示すように、第１ハウジング２５の後方の側部２９には係合竿３１が突設され、係合竿３１は竿体３３の先端に係合膨出部３５を有する。係合膨出部３５は、直方体の一つの長辺部を挟む一対の角部を除去したテーパー面３７を突出先端側に有する。係合膨出部３５のテーパー面３７の反対側は、スリット係止面３９となる。
【００２２】
バッテリターミナル用カバー１１は、バッテリ直付けヒューズユニット１３の上部を覆う。バッテリターミナル用カバー１１は、上面視略長方形板状の上壁４１、及び上壁４１の四辺から垂下された角筒状周壁を有し、下面が開放された箱状に形成されている。角筒状周壁は、一対の側壁４３と、一対の側壁４３の前端同士を連結する前壁４５と、一対の側壁４３の後端同士を連結する後壁（一側壁）４７とからなる。バッテリターミナル用カバー１１は、電気的絶縁特性を有する合成樹脂を射出成形することにより形成される。
【００２３】
バッテリターミナル用カバー１１には、上下方向に延在して係合スリット４９が設けられる。バッテリターミナル用カバー１１は、竿体３３が係合スリット４９に挿通されて開閉動作が許容されるとともに、竿体３３の抜脱が係合膨出部３５によって規制されている。
【００２４】
また、本第１実施形態において、係合スリット４９は、バッテリターミナル用カバー１１の上壁４１から垂設される一側壁である後壁４７に形成されている。竿体３３は、係合スリット４９のスリット幅方向に離間する一対の平行な可撓竿５１からなって、可撓竿５１のそれぞれを係合スリット４９の対向内面５３に押し当てている。
【００２５】
図５に示すように、第１ハウジング２５のハウジング両側壁５５には係止レール５７が突設され、係止レール５７には先端が断面略台形状の係止部５７ａを有する。バッテリターミナル用カバー１１の一対の側壁４３の内面には、係止レール５７と当接するストッパ部５９が設けられている。側壁４３の内面には、ストッパ部５９の下方に係止爪部６１が突設され、係止爪部６１はストッパ部５９との間で係止レール５７の係止部５７ａを挟持する。これにより、第１ハウジング２５に被せられたバッテリターミナル用カバー１１は、ストッパ部５９と係止爪部６１とで係止レール５７を挟持して、第１ハウジング２５に解除可能に保持される。
【００２６】
次に、本第１実施形態に係るバッテリターミナル用カバー１１の取付構造の作用を説明する。
本第１実施形態に係るバッテリターミナル用カバー１１の取付構造では、バッテリポストに直付けされたバッテリ直付けヒューズユニット１３の側部２９に突設された係合竿３１が、後壁４７から突出する竿体３３と、この竿体３３の先端に形成される係合膨出部３５とからなる。
【００２７】
バッテリ直付けヒューズユニット１３には、上部を覆うバッテリターミナル用カバー１１が閉状態で保持可能となる。このバッテリターミナル用カバー１１に形成された係合スリット４９に係合竿３１の竿体３３が挿通されると、係合スリット４９に竿体３３を挿通した係合竿３１は、係合膨出部３５によって係合スリット４９からの抜脱が規制された状態となる。従って、バッテリ直付けヒューズユニット１３からのバッテリターミナル用カバー１１の脱落が防止される。
【００２８】
また、係合スリット４９がバッテリ直付けヒューズユニット１３の係合竿３１に挿通されたバッテリターミナル用カバー１１は、係合スリット４９を竿体３３に対して係合させながら、スライド（特に、上下移動）、竿体３３の軸線を回転中心とした回転、竿体３３に直交する仮想軸を回転中心とした揺動が自在となる。従って、従来の揺動のみが可能であった薄肉ヒンジ部に比べ、揺動に加えてスライドや回転も可能となって、開閉がスムーズとなる。これにより、バッテリターミナル用カバー１１は、バッテリ直付けヒューズユニット１３と常に連結された状態で、バッテリ直付けヒューズユニット１３に対して開閉自在となり、従来のように薄肉ヒンジ部を用いてバッテリ直付けヒューズユニットに固定された固定用カバーに開閉用カバーを連設する必要がなくなる。
【００２９】
また、係合スリット４９がバッテリターミナル用カバー１１の後壁４７に直接形成され、竿体３３を構成する一対の可撓竿５１が係合スリット４９の対向内面５３に押し当てられた状態で挿通される。これにより、バッテリターミナル用カバー１１は、竿体３３に対してスリット幅方向に移動規制され、係合竿３１に対してガタつき無く連結される。
【００３０】
また、一対の可撓竿５１が係合スリット４９の対向内面５３を押圧するので、バッテリターミナル用カバー１１は、所定の力で竿体３３に対して回転規制され、スライド及び揺動のみが可能となる。そこで、バッテリターミナル用カバー１１は回転方向の振れが抑止され、開閉作業性が良好となる。なお、この場合においても、所定以上の回転力が加えられれば、竿体３３の一対の可撓竿５１が相互接近する方向に変形して、バッテリターミナル用カバー１１は回転可能となる。
【００３１】
次に、本発明の第２実施形態に係るバッテリターミナル用カバー６３の取付構造を説明する。
図６〜図９に示すように、本第２実施形態に係るバッテリターミナル用カバー６３の取付構造は、バッテリ６７の上面に突設されるバッテリポスト６９に接続されるバッテリ端子７１を介し、バッテリ６７に直付けされるバッテリ直付けヒューズユニット（ヒューズユニット）６５と、このバッテリ直付けヒューズユニット６５の上部を開閉自在となって覆うバッテリターミナル用カバー６３と、を備える。
【００３２】
バッテリ端子７１は、バッテリ６７の上面に突設されたバッテリポスト６９に締結されるポスト連結部７３と、このポスト連結部７３の一側に延設されたユニット接続用板部（不図示）とを備えており、ユニット接続用板部には、バッテリ直付けヒューズユニット６５のバッテリ接続板部１５などをねじ止めするためのスタッドボルト７５が植設されている（図８，９参照）。
【００３３】
バッテリ直付けヒューズユニット６５は、バッテリ端子７１と電装回路とを導通接続するためのもので、バッテリ接続板部６６及び回路接続板部７０を備えた導電金属製の板状のヒューズエレメント６４がインサート成形された絶縁性のヒューズハウジング７７を有する。ヒューズハウジング７７の一端に露出するバッテリ接続板部６６の貫通孔６８には、バッテリ端子７１のスタッドボルト７５が挿通され、ナット７９が螺合されてバッテリ端子７１に固定される。これにより、バッテリ直付けヒューズユニット６５はバッテリ端子７１を介してバッテリポスト６９に接続されて固定される。ヒューズハウジング７７の他端に露出する回路接続板部７０に電装回路のワイヤハーネスが接続される。本第２実施形態において、バッテリ直付けヒューズユニット６５は、バッテリ６７の上面に沿って配置される。
【００３４】
バッテリ直付けヒューズユニット６５の後方の側部８１には係合竿８３が突設され、係合竿８３は竿体８５の先端に係合膨出部８７を有する。係合竿８３は、竿体８５が円柱状に形成され、係合膨出部８７が例えば球状又は円錐状に形成される。バッテリ直付けヒューズユニット６５の側部８１の下方には、図９に示すハンガー回避傾斜面８９が形成されている。
【００３５】
バッテリターミナル用カバー６３は、上面視略Ｗ字状の多角形上壁９１、及び多角形上壁９１から垂下された段状周壁を有し、下面が開放された箱状に形成されている。多角形上壁９１の裏面には、バッテリターミナル用カバー６３の閉止時にバッテリ直付けヒューズユニット６５に当接して位置決めするための突き当て部９３が垂設されている（図７参照）。多角形上壁９１から垂下された段状周壁の一側壁である後壁９５には、上下方向に延びる矩形板状のハンガー部９７が設けられる。更に、後壁９５とハンガー部９７とには、双方に亘ってハンガー部９７のハンガー部延在方向に沿って係合スリット４９が形成されている。ハンガー部９７は、後壁９５よりも薄肉に形成されて弾性変形し易く、係合竿８３の係合膨出部８７が係合スリット４９に挿通し易くなっている。
【００３６】
次に、本第２実施形態に係るバッテリターミナル用カバー６３の取付構造の作用を説明する。
本第２実施形態に係るバッテリターミナル用カバー６３の取付構造では、図９（ａ）に示すように、係合スリット４９に竿体８５を挿通した係合竿８３が、係合膨出部８７によって係合スリット４９からの抜脱が規制された状態で、バッテリターミナル用カバー６３がバッテリ直付けヒューズユニット６５の上部を覆っている。
【００３７】
バッテリターミナル用カバー６３を開放する際には、係合スリット４９を竿体８５に対して係合させながら、図９（ｂ）に示すように、バッテリターミナル用カバー６３が上方へスライドされる。
次いで、図９（ｃ）に示すように、竿体８５に直交する仮想軸を回転中心として揺動される。バッテリターミナル用カバー６３が更に揺動されると、図９（ｄ）に示すように、ハンガー部９７がハンガー回避傾斜面８９と平行となって、ハンガー部９７がバッテリ直付けヒューズユニット６５と干渉せずにスムーズに開かれる。
【００３８】
従って、本第２実施形態におけるバッテリターミナル用カバー６３の取付構造は、従来の揺動のみが可能であった薄肉ヒンジ部に比べ、揺動に加えてスライドや回転も可能となって、開閉がスムーズとなる。これにより、バッテリターミナル用カバー６３は、バッテリ直付けヒューズユニット６５と常に連結された状態で、バッテリ直付けヒューズユニット６５に対して開閉自在となり、従来のように薄肉ヒンジ部を用いてヒューズユニットに固定された固定用カバーに開閉カバーを連設する必要がなくなる。
【００３９】
また、係合スリット４９が後壁９５とハンガー部９７とに亘って連続して形成されるので、係合スリット４９が、バッテリターミナル用カバー６３の一側壁である後壁９５の範囲を超えてハンガー部９７のハンガー部延在方向に延長可能となる。これにより、係合竿８３に対するバッテリターミナル用カバー６３の相対移動距離を長く確保することが可能となり、バッテリ直付けヒューズユニット６５からバッテリターミナル用カバー６３を邪魔とならない遠くまで移動退避させることが可能となる。その結果、ヒューズエレメントやバッテリ端子７１の点検・着脱用の広い作業スペースが確保可能となる。
【００４０】
従って、上記第１及び第２本実施形態に係るバッテリターミナル用カバー１１，６３の取付構造によれば、バッテリターミナル用カバー１１，６３の脱落を防止できるとともに、ヒンジ部の劣化や破損による取付けガタの発生を防止できる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４１】
１１…バッテリターミナル用カバー
１３…バッテリ直付けヒューズユニット
２９…側部
３１…係合竿
３３…竿体
３５…係合膨出部
４１…上壁
４７…後壁（一側壁）
４９…係合スリット
５１…可撓竿
５３…対向内面
６３…バッテリターミナル用カバー
６５…バッテリ直付けヒューズユニット（ヒューズユニット）
６９…バッテリポスト
９７…ハンガー部
【図１】
2014203599.tif 000003
【図２】
2014203599.tif 000004
【図３】
2014203599.tif 000005
【図４】
2014203599.tif 000006
【図５】
2014203599.tif 000007
【図６】
2014203599.tif 000008
【図７】
2014203599.tif 000009
【図８】
2014203599.tif 000010
【図９】
2014203599.tif 000011
【図１０】
2014203599.tif 000012
【図１１】
2014203599.tif 000013